(57)【要約】【課題】簡易な操作で文字入力を迅速に行うことができる文字変換入力装置、文字変換入力方法及び検索システムを提供する。【解決手段】文字変換入力装置１２は、複数の文字が対応付けされた数字キー１８と、この数字キー１８から入力される入力情報、及び複数の文字の中から予め選択された１つの代表文字の対応関係が規定された文字変換テーブル２０と、代表文字を入力順に並べてなる代表文字列、及び意味を持つ文字列の対応関係が規定された文字列変換テーブル２２と、入力情報を文字変換テーブル２０に基づいて代表文字に変換する文字変換処理２４と、この文字変換処理２４によって変換された代表文字から代表文字列を生成する代表文字列生成処理２６と、この代表文字列生成処理２６によって生成された代表文字列を文字列変換テーブル２２に基づいて意味を持つ文字列に変換する文字列変換処理２８と、を含んで構成されている。【選択図】図１
2006107324.tif 000002
【特許請求の範囲】
【請求項１】
複数の文字が対応付けされた入力手段と、
該入力手段から入力される入力情報、及び前記複数の文字の中から予め選択された１つの代表文字の対応関係が規定された文字変換テーブルと、
前記代表文字を入力順に並べてなる代表文字列、及び意味を持つ文字列の対応関係が規定された文字列変換テーブルと、
前記入力情報を前記文字変換テーブルに基づいて前記代表文字に変換する文字変換手段と、
該文字変換手段によって変換された前記代表文字から前記代表文字列を生成する代表文字列生成手段と、
該代表文字列生成手段によって生成された前記代表文字列を前記文字列変換テーブルに基づいて前記意味を持つ文字列に変換する文字列変換手段と、を含んで構成されていることを特徴とする文字変換入力装置。
【請求項２】
請求項１において、
前記文字は仮名文字であり、且つ、前記代表文字は前記仮名文字における、あ段の文字であることを特徴とする文字変換入力装置。
【請求項３】
複数の文字が対応付けされた入力手段から入力される入力情報を、前記複数の文字の中から予め選択された１つの代表文字に変換する文字変換ステップと、
前記代表文字を入力順に並べて代表文字列を生成する代表文字列生成ステップと、
前記代表文字列を意味を持つ文字列に変換する文字列変換ステップと、を含んでなることを特徴とする文字変換入力方法。
【請求項４】
請求項３において、
前記文字は仮名文字であり、且つ、前記代表文字は前記仮名文字における、あ段の文字であることを特徴とする文字変換入力方法。
【請求項５】
複数の文字が対応付けされた入力手段と、
該入力手段から入力される入力情報、及び前記複数の文字の中から予め選択された１つの代表文字の対応関係が規定された文字変換テーブルと、
前記代表文字を入力順に並べてなる代表文字列、及び意味を持つ文字列の対応関係が規定された文字列変換テーブルと、
前記入力情報を前記文字変換テーブルに基づいて前記代表文字に変換する文字変換手段と、
該文字変換手段によって変換された前記代表文字から前記代表文字列を生成する代表文字列生成手段と、
該代表文字列生成手段によって生成された前記代表文字列を前記文字列変換テーブルに基づいて前記意味を持つ文字列に変換する文字列変換手段と、
前記意味を持つ文字列を検索キーとして有すると共に、該検索キーに関連する情報が記憶された検索データベースと、
前記意味を持つ文字列を検索キーとして前記検索データベースから前記情報を取得可能な検索手段と、を含んで構成されていることを特徴とする検索システム。
【請求項６】
請求項５において、
前記文字は仮名文字であり、且つ、前記代表文字は前記仮名文字における、あ段の文字であることを特徴とする検索システム。
【請求項７】
請求項５又は６において、
前記検索データベースは、少なくとも、名前や店名等からなる名称情報と、住所情報と、電話番号情報を含んでなり、前記検索手段は、前記名称情報を検索キーとして前記住所情報及び電話番号情報の少なくとも一方の情報を取得可能に構成されていることを特徴とする検索システム。
【請求項８】
請求項７において、
更に、前記住所情報又は電話番号情報と対応付けされた地図情報を有してなる地図データベースを含んでなり、前記検索手段は、前記名称情報を検索キーとして前記地図情報を取得可能に構成されていることを特徴とする検索システム。
【請求項９】
請求項８において、
更に、前記入力手段を操作する者が居る現在地情報を取得可能な現在地情報取得手段を備えていることを特徴とする検索システム。
【請求項１０】
請求項５又は６において、
前記検索データベースは、少なくとも、キーワード情報と、電話番号やＵＲＬ等からなる連絡先情報と、前記キーワード情報及び前記連絡先情報が前記検索データベースに登録されている期間を示す掲載期間情報を含んでなり、前記検索手段は、前記キーワード情報を検索キーとして前記連絡先情報を取得可能に構成されていることを特徴とする検索システム。
【発明の詳細な説明】
【技術分野】
【０００１】
本発明は、文字変換入力装置、文字変換入力方法及び検索システムに関する。
【背景技術】
【０００２】
従来、携帯電話等の分野において、数字キー等の入力手段を用いて入力された入力情報を文字に変換する文字変換入力方法や文字変換入力装置が広く知られている。
【０００３】
例えば、特許文献１に示された文字変換入力方法では、図９に示されるように、０〜９が記された各数字キーには５０音の各行「あ行」〜「わ行」が対応付けされており、数字キーを押下する回数によって各行に含まれる１つの仮名文字を特定するようになっている。
【０００４】
具体的には、「１（あ）」と記された数字キーは「あ行」に対応付けされており、数字キーを１回押下するごとに「あ」→「い」→「う」→「え」→「お」→「あ」→・・・のように文字変換される。従って、例えば、「ふれんち」という文字列を入力したい場合には、数字キー「６（は）」を「は」→「ひ」→「ふ」のように３回押下して「ふ」を特定し、数字キー「９（ら）」を「ら」→「り」→「る」→「れ」のように４回押下して「れ」を特定し、数字キー「０（わ）」を「わ」→「を」→「ん」のように３回押下して「ん」を特定し、数字キー「４（た）」を「た」→「ち」のように２回押下して「ち」を特定するようになっている。
【０００５】
【特許文献１】特開平２−１４８１６６号公報
【発明の開示】
【発明が解決しようとする課題】
【０００６】
しかしながら、このような従来公知の文字変換入力方法によれば、例えば、上述の「ふれんち」の例では、数字キーを「６６６９９９９０００４４」のように１２回も押下する必要が有り、操作が煩わしい上に、文字入力に時間がかかってしまうといった問題点があった。特に、携帯電話等において所定の文字列を入力してキーワード検索を行うような場合には、キーワードの入力に多大な時間を要するため、検索を短時間で行うことが困難であった。
【０００７】
本発明は、このような問題点を解決したものであって、簡易な操作で文字入力を迅速に行うことができる文字変換入力装置、文字変換入力方法及び検索システムを提供することを目的とする。
【課題を解決するための手段】
【０００８】
本発明に係る文字変換入力装置は、複数の文字が対応付けされた入力手段と、該入力手段から入力される入力情報、及び前記複数の文字の中から予め選択された１つの代表文字の対応関係が規定された文字変換テーブルと、前記代表文字を入力順に並べてなる代表文字列、及び意味を持つ文字列の対応関係が規定された文字列変換テーブルと、前記入力情報を前記文字変換テーブルに基づいて前記代表文字に変換する文字変換手段と、該文字変換手段によって変換された前記代表文字から前記代表文字列を生成する代表文字列生成手段と、該代表文字列生成手段によって生成された前記代表文字列を前記文字列変換テーブルに基づいて前記意味を持つ文字列に変換する文字列変換手段と、を含んで構成されていることによって、上記課題を解決したものである。
【０００９】
本発明に係る文字変換入力装置によれば、簡易な操作で文字入力を迅速に行うことができる。
【００１０】
なお、前記文字は仮名文字であり、且つ、前記代表文字は前記仮名文字における、あ段の文字であれば、既存の携帯電話等における操作感覚に近く、より一層、文字入力を迅速に行うことが可能となる。
【００１１】
又、本発明に係る文字変換入力方法は、複数の文字が対応付けされた入力手段から入力される入力情報を、前記複数の文字の中から予め選択された１つの代表文字に変換する文字変換ステップと、前記代表文字を入力順に並べて代表文字列を生成する代表文字列生成ステップと、前記代表文字列を意味を持つ文字列に変換する文字列変換ステップと、を含んでなることによって、上記同様の課題を解決したものである。
【００１２】
本発明に係る文字変換入力方法によれば、簡易な操作で文字入力を迅速に行うことができる。
【００１３】
なお、前記文字は仮名文字であり、且つ、前記代表文字は前記仮名文字における、あ段の文字であれば、既存の携帯電話等における操作感覚に近く、より一層、文字入力を迅速に行うことが可能となる。
【００１４】
更に、本発明に係る検索システムは、複数の文字が対応付けされた入力手段と、該入力手段から入力される入力情報、及び前記複数の文字の中から予め選択された１つの代表文字の対応関係が規定された文字変換テーブルと、前記代表文字を入力順に並べてなる代表文字列、及び意味を持つ文字列の対応関係が規定された文字列変換テーブルと、前記入力情報を前記文字変換テーブルに基づいて前記代表文字に変換する文字変換手段と、該文字変換手段によって変換された前記代表文字から前記代表文字列を生成する代表文字列生成手段と、該代表文字列生成手段によって生成された前記代表文字列を前記文字列変換テーブルに基づいて前記意味を持つ文字列に変換する文字列変換手段と、前記意味を持つ文字列を検索キーとして有すると共に、該検索キーに関連する情報が記憶された検索データベースと、前記意味を持つ文字列を検索キーとして前記検索データベースから前記情報を取得可能な検索手段と、を含んで構成されていることによって、上記同様の課題を解決したものである。
【００１５】
本発明に係る検索システムによれば、簡易な操作で文字入力を迅速に行うことができる上に、文字の入力開始から検索結果を得るまでの時間を短縮することができる。
【００１６】
なお、前記文字は仮名文字であり、且つ、前記代表文字は前記仮名文字における、あ段の文字であれば、既存の携帯電話等における操作感覚に近く、より一層、文字入力を迅速に行うことができ、更に文字の入力開始から検索結果を得るまでの時間を短縮することが可能となる。
【００１７】
又、前記検索データベースは、少なくとも、名前や店名等からなる名称情報と、住所情報と、電話番号情報を含んでなり、前記検索手段は、前記名称情報を検索キーとして前記住所情報及び電話番号情報の少なくとも一方の情報を取得可能に構成されていれば、名前や店名等からなる名称情報に基づいて住所情報や電話番号情報を迅速に検索することが可能となる。
【００１８】
この場合、更に、前記住所情報又は電話番号情報と対応付けされた地図情報を有してなる地図データベースを含んでなり、前記検索手段は、前記名称情報を検索キーとして前記地図情報を取得可能に構成されていれば、地図情報を取得可能であるため、名前や店名等からなる名称情報に基づいて住宅や店舗の場所を容易且つ的確に把握することが可能となる。
【００１９】
更に、前記入力手段を操作する者が居る現在地情報を取得可能な現在地情報取得手段を備えていれば、例えば、住宅や店舗までの経路検索等を行うことも可能となる。
【００２０】
又、前記検索データベースは、少なくとも、キーワード情報と、電話番号やＵＲＬ等からなる連絡先情報と、前記キーワード情報及び前記連絡先情報が前記検索データベースに登録されている期間を示す掲載期間情報を含んでなり、前記検索手段は、前記キーワード情報を検索キーとして前記連絡先情報を取得可能に構成されていれば、例えば、新聞、ＴＶ、雑誌等によって告知されたキーワード情報に基づいて、電話番号やＵＲＬ等からなる連絡先情報を取得することができ、連絡先情報を迅速に取得することが可能となる。
【発明の効果】
【００２１】
本発明に係る文字変換入力装置、文字変換入力方法及び検索システムによれば、簡易な操作で文字入力を迅速に行うことができるという優れた効果を有する。
【発明を実施するための最良の形態】
【００２２】
以下、図面を用いて、本発明の実施例１〜４に係る検索システムについて説明する。
【実施例１】
【００２３】
図１に示されるように、本実施例１に係る検索システム１０は、文字変換入力装置１２と、この文字変換入力装置１２にネットワーク１４を介して接続された検索エンジン１６と、を有して構成されている。なお、本実施例１に係るネットワーク１４には、例えば、インターネット（ＷＡＮ：Ｗｉｄｅ  Ａｒｅａ  Ｎｅｔｗｏｒｋ）やＬＡＮ（Ｌｏｃａｌ  Ａｒｅａ  Ｎｅｔｗｏｒｋ）を適用することができる。
【００２４】
文字変換入力装置１２は、複数の文字が対応付けされた数字キー（入力手段）１８と、文字変換テーブル２０、文字列変換テーブル２２、文字変換手段である文字変換処理２４、代表文字列生成手段である代表文字列生成処理２６、文字列変換手段である文字列変換処理２８がそれぞれ記憶されたＲＯＭ（Ｒｅａｄ  Ｏｎｌｙ  Ｍｅｍｏｒｙ）３０と、を含んで構成されている。なお、本実施例１に係る文字変換入力装置１２は、例えば、携帯電話やＬモードの固定電話などによって構成することができる。又、本実施例１では、文字変換テーブル２０、文字列変換テーブル２２、文字変換処理２４、代表文字列生成処理２６、及び文字列変換処理２８をＲＯＭ３０に記憶するようにしたが、本発明はこれに限定されず、内蔵型ハードディスク等、他の記憶媒体に記憶するようにしてもよい。
【００２５】
文字変換入力装置１２の各数字キー１８には０〜９の番号が記されており、本実施例１では、１の番号が記された数字キーには「あ行」の「あ」、「い」、「う」、「え」、「お」の５つの平仮名文字が対応付けされている。以下、図１に示されるように、２〜９及び０の番号が記された数字キー１８には、それぞれ「か行」、「さ行」、「た行」、「な行」、「は行」、「ま行」、「や行」、「ら行」、「わ行」に属する複数の平仮名文字が対応付けされている。なお、本発明に係る入力手段は、図１に示されるようなボタン形状の数字キー１８に限定されるものではなく、例えばタッチパネル等を適用してもよい。又、数字キー１８に対応付ける複数の文字は、平仮名文字に限定されるものではなく、例えば、片仮名文字等を適用してもよい。
【００２６】
文字変換テーブル２０には、図２に示されるように、各数字キー１８から入力される０〜９の入力情報と、複数の文字（「あ行」〜「わ行」に属する各平仮名文字）の中から予め選択された１つの代表文字（「あ」〜「わ」）との対応関係が規定されている。本実施例１では、例えば、１の数字が記された数字キー１８から入力される「１」の入力情報は、「あ行」の代表文字である「あ」に対応付けされている。又、本実施例１では、５０音の平仮名文字の「あ段」の文字が代表文字とされており、具体的には「あ行」の「あ」、「か行」の「か」、「さ行」の「さ」、「た行」の「た」、「な行」の「な」、「は行」の「は」、「ま行」の「ま」、「や行」の「や」、「ら行」の「ら」、「わ行」の「わ」がそれぞれ各行における代表文字とされている。なお、本発明に係る代表文字は、仮名文字の「あ段」の文字に限定されるものではなく、例えば、仮名文字であれば「い段」、「う段」、「え段」、「お段」であってもよい。
【００２７】
文字列変換テーブル２２には、図３に示されるように、代表文字（「あ」〜「わ」）を入力順に並べてなる代表文字列と、意味を持つ文字列との対応関係が複数規定されている。本実施例１では、例えば、「はらわたらさたらわ」という代表文字列が、意味を持つ文字列「ふれんちれすとらん（フレンチレストラン：主としてフランス料理を提供するレストラン）」に対応付けされている。なお、「意味を持つ文字列」とは、例えば広辞苑等の辞書に掲載されている言葉のように所定の意味内容を持つ文字列をいう。
【００２８】
又、本発明における文字列変換テーブル２２の代表文字列と、意味を持つ文字列との対応付けは以下の手法によって行われる。
【００２９】
例えば、意味を持つ文字列が「ふれんちれすとらん」の場合を考えると、本実施例１であ、「は行」である「は」、「ひ」、「ふ」、「へ」、「ほ」の５文字は全て「は行」の代表文字である「は」に対応付けされるため、「ふれんちれすとらん」の１文字目の「ふ」は「は」に対応付けされる。以下、同様にして、「ふれんちれすとらん」の２文字目の「れ」は「ら」に、３文字目の「ん」は「わ」に、４文字目の「ち」は「た」に、５文字目の「れ」は「ら」に、６文字目の「す」は「さ」に、７文字目の「と」は「た」に、８文字目の「ら」は「ら」に、９文字目の「ん」は「わ」に、それぞれ対応付けされる。この結果、上述のように、「ふれんちれすとらん」という意味を持つ文字列は、「はらわたらさたらわ」という代表文字列に対応付けされ、その対応関係は文字列変換テーブル２２に規定される。
【００３０】
図１に戻って、文字変換処理２４は、入力情報０〜９を文字変換テーブル２０に基づいて代表文字「あ」〜「わ」に変換する。例えば、「６」、「９」、「０」、「４」、「９」、「３」、「４」、「９」、「０」という入力情報は、文字変換処理２４によって、「は」、「ら」、「わ」、「た」、「ら」、「さ」、「た」、「ら」、「わ」という代表文字にそれぞれ変換される。
【００３１】
代表文字列生成処理２６は、文字変換処理２４によって変換された代表文字「あ」〜「わ」を入力順に並べ、代表文字列を生成する。例えば、「は」、「ら」、「わ」、「た」、「ら」、「さ」、「た」、「ら」、「わ」という代表文字からは代表文字列生成処理２６によって「はらわたらさたらわ」という代表文字列が生成される。
【００３２】
文字列変換処理２８は、代表文字列生成処理２６によって生成された代表文字列を文字列変換テーブル２２に基づいて意味のある文字列に変換する。例えば、「はらわたらさたらわ」という代表文字列は、文字列変換処理２８によって「ふれんちれすとらん」という意味のある文字列に変換される。
【００３３】
このようにして、本実施例１に係る文字変換入力装置１２では、複数の文字が対応付けされた数字キー（入力手段）１８から入力される入力情報を、複数の文字の中から予め選択された１つの代表文字に変換する文字変換ステップと、代表文字を入力順に並べて代表文字列を生成する代表文字列生成ステップと、代表文字列を意味を持つ文字列に変換する文字列変換ステップと、を含んでなる文字変換入力方法により文字変換入力が行われる。
【００３４】
本実施例１に係る文字変換入力装置１２によれば、複数の文字が対応付けされた数字キー（入力手段）１８と、この数字キー１８から入力される入力情報、及び複数の文字の中から予め選択された１つの代表文字の対応関係が規定された文字変換テーブル２０と、代表文字を入力順に並べてなる代表文字列、及び意味を持つ文字列の対応関係が規定された文字列変換テーブル２２と、入力情報を文字変換テーブル２０に基づいて代表文字に変換する文字変換処理（文字変換処理手段）２４と、この文字変換処理２４によって変換された代表文字から代表文字列を生成する代表文字列生成処理（代表文字列生成手段）２６と、この代表文字列生成処理２６によって生成された代表文字列を文字列変換テーブル２２に基づいて意味を持つ文字列に変換する文字列変換処理（文字列変換手段）２８と、を含んで構成されているため、簡易な操作で文字入力を迅速に行うことができる。
【００３５】
特に、文字は仮名文字であり、且つ、代表文字は仮名文字における、あ段の文字であるため、既存の携帯電話等における操作感覚に近く、より一層、文字入力を迅速に行うことができる。
【００３６】
この文字変換入力装置１２に接続された検索エンジン１６は、意味を持つ文字列を検索キーとして有すると共に、検索キーに関連する情報が記憶された検索データベース３２と、検索手段である検索処理３４と、を有して構成されている。なお、本実施例１に係る検索エンジン１６には、例えば、既存の検索エンジンを適用することができる。
【００３７】
検索処理３４は、意味を持つ文字列を検索キーとして検索データベース３２から情報を取得可能に構成されている。例えば、「ふれんちれすとらん」を検索キーとして、フレンチレストランに関する店舗の情報等を取得することができる。
【００３８】
本実施例１に係る検索システム１０によれば、複数の文字が対応付けされた数字キー（入力手段）１８と、この数字キー１８から入力される入力情報、及び複数の文字の中から予め選択された１つの代表文字の対応関係が規定された文字変換テーブル２０と、代表文字を入力順に並べてなる代表文字列、及び意味を持つ文字列の対応関係が規定された文字列変換テーブル２２と、入力情報を文字変換テーブル２０に基づいて代表文字に変換する文字変換処理（文字変換処理手段）２４と、この文字変換処理２４によって変換された代表文字から代表文字列を生成する代表文字列生成処理（代表文字列生成手段）２６と、この代表文字列生成処理２６によって生成された代表文字列を文字列変換テーブル２２に基づいて意味を持つ文字列に変換する文字列変換処理（文字列変換手段）２８と、意味を持つ文字列を検索キーとして有すると共に、検索キーに関連する情報が記憶された検索データベース３２と、意味を持つ文字列を検索キーとして検索データベース３２から情報を取得可能な検索処理（検索手段）３４と、を含んで構成されているため、簡易な操作で文字入力を迅速に行うことができる上に、文字の入力開始から検索結果を得るまでの時間を短縮することが可能となる。
【００３９】
なお、本発明に係る検索システムは、上記実施例１に係る検索システム１０の構造等に限定されるものではなく、例えば、図４に示される検索システム４０のように、実施例１における文字列変換テーブル２２と文字列変換処理２８を検索エンジン４２側に設けてもよい（以下に説明する実施例２〜４も同様）。この場合、文字変換入力装置４４における制御負担を軽減させることができる上に、文字列変換テーブル２２を検索エンジン４２側で変更、追加及び更新等することができ、上記実施例１に係る検索システム１０に比べ、利便性を高めることが可能となる。
【実施例２】
【００４０】
次に、図５を用いて、本発明の実施例２に係る検索システムについて説明する。
【００４１】
図５に示される本実施例２に係る検索システム５０は、上記実施例１に係る検索システム１０の検索データベース３２に代えて、少なくとも、名前や店名等からなる名称情報と、住所情報と、電話番号情報を含んでなる検索データベース５２を適用したものである。又、本実施例２に係る検索処理（検索手段）５４は、名称情報を検索キーとして住所情報及び電話番号情報の少なくとも一方の情報を取得可能に構成されている。
【００４２】
本実施例２に係る検索システム５０によれば、名前や店名等からなる名称情報に基づいて住所情報や電話番号情報を迅速に検索することができる。
【実施例３】
【００４３】
次に、図６を用いて、本発明の実施例３に係る検索システムについて説明する。
【００４４】
図６に示される本実施例３に係る検索システム６０は、上記実施例２に係る検索システム５０に、更に、住所情報又は電話番号情報と対応付けされた地図情報を有してなる地図データベース６２を含んで構成したものである。又、本実施例３に係る検索処理（検索手段）６４は、名称情報を検索キーとして住所情報、電話番号情報、及び地図情報を取得可能に構成されている。
【００４５】
本実施例３に係る検索システム６０によれば、地図情報を取得可能であるため、名前や店名等からなる名称情報に基づいて住宅や店舗の場所を容易且つ的確に把握することができる。
【００４６】
なお、図７に示される検索システム７０のように、更に、数字キー（入力手段）１８を操作する者が居る現在地情報を取得可能なＧＰＳ（現在地情報取得手段）７２を備えていれば、例えば、住宅や店舗までの経路検索等を行うことも可能となる。
【実施例４】
【００４７】
次に、図８を用いて、本発明の実施例４に係る検索システムについて説明する。
【００４８】
図８に示される本実施例４に係る検索システム８０は、上記実施例１に係る検索システム１０の検索データベース３２に代えて、少なくとも、キーワード情報と、電話番号やＵＲＬ（Ｕｎｉｆｏｒｍ  Ｒｅｓｏｕｒｃｅ  Ｌｏｃａｔｏｒ）等からなる連絡先情報と、キーワード情報及び連絡先情報が検索データベースに登録されている期間を示す掲載期間情報を含んでなる検索データベース８２を適用したものである。又、本実施例４に係る検索処理（検索手段）８４は、キーワード情報を検索キーとして連絡先情報を取得可能に構成されている。
【００４９】
本実施例４に係る検索システム８０によれば、例えば、新聞、ＴＶ、雑誌等によって告知されたキーワード情報に基づいて、電話番号やＵＲＬ等からなる連絡先情報を取得することができ、連絡先情報を迅速に取得することができる。
【産業上の利用可能性】
【００５０】
本発明は、例えば、携帯電話、Ｌモードの固定電話等に適用することが可能である。
【図面の簡単な説明】
【００５１】
【図１】本発明の実施例１に係る検索システムのシステムブロック図
【図２】同検索システムにおける文字変換テーブルの構造を概略的に示す図
【図３】同検索システムにおける文字列変換テーブルの構造を概略的に示す図
【図４】同検索システムの変形例に係る検索システムのシステムブロック図
【図５】本発明の実施例２に係る検索システムのシステムブロック図
【図６】本発明の実施例３に係る検索システムのシステムブロック図
【図７】同検索システムの変形例に係る検索システムのシステムブロック図
【図８】本発明の実施例４に係る検索システムのシステムブロック図
【図９】従来の文字変換方法に使用される入力手段の概略図
【符号の説明】
【００５２】
１０、４０、５０、６０、７０、８０…検索システム
１２、４４…文字変換入力装置
１４…ネットワーク
１６、４２、５６、６６、８６…検索エンジン
１８…数字キー
２０…文字変換テーブル
２２…文字列変換テーブル
２４…文字変換処理
２６…代表文字列変換処理
２８…文字列変換処理
３０…ＲＯＭ
３２、５２、８２…検索データベース
３４、５４、６４、８４…検索処理
６２…地図データベース
７２…ＧＰＳ
【図１】
2006107324.tif 000003
【図２】
2006107324.tif 000004
【図３】
2006107324.tif 000005
【図４】
2006107324.tif 000006
【図５】
2006107324.tif 000007
【図６】
2006107324.tif 000008
【図７】
2006107324.tif 000009
【図８】
2006107324.tif 000010
【図９】
2006107324.tif 000011